(57)【要約】【課題】使用者が指で触れて操作する操作部のタッチシートの一部の反応を抑制するようにし、誤動作を抑制した使い勝手のよい洗濯機を実現する。【解決手段】洗濯機の動作を制御する制御手段と、使用者が指で触れる操作表示パネル１と、使用者が指で触れることで操作するタッチシート２からなり前記制御手段へ入力情報を入力する操作手段と、前記制御手段が制御する内容を表示する表示手段３とを備え、タッチシート２は透明で表示手段３の一部またはすべてを覆い、操作表示パネル１の裏面に配置し、タッチシート２の一部を曲げ操作表示パネル１から十分離れるように構成し、タッチシート２の一部の反応を抑制したものであり、タッチシート２の一部を曲げ操作表示パネル１から十分距離を確保し、タッチシート２の一部の反応を抑制し、誤動作を抑制でき、使い勝手を向上することができる。【選択図】図２
2017153837.tif 000002
【特許請求の範囲】
【請求項１】
洗濯機の動作を制御する制御手段と、使用者が指で触れる操作表示パネルと、使用者が指で触れることで操作するタッチシートからなり前記制御手段へ入力情報を入力する操作手段と、前記制御手段が制御する内容を表示する表示手段とを備え、前記タッチシートは透明で前記表示手段の一部またはすべてを覆い、前記操作表示パネルの裏面に配置し、前記タッチシートの一部を曲げ前記操作表示パネルから十分離れるように構成し、前記タッチシートの一部の反応を抑制するように配置した洗濯機。
【請求項２】
前記タッチシートの一部を曲げ前記操作表示パネルから離れるように構成し、前記タッチシートの反応を鈍らせるように配置した請求項１記載の洗濯機。
【発明の詳細な説明】
【技術分野】
【０００１】
本発明はタッチシートで操作できる洗濯機の制御システムに関するものである。
【背景技術】
【０００２】
従来、衣類等の洗濯物を洗濯する家庭用の洗濯機においても、指で触れることで操作できるタッチパネル式の操作表示部を備えたものが提案されてきた（例えば、特許文献１参照）。
【０００３】
図４は、特許文献１に記載の従来の洗濯機の操作表示パネルの正面図、図５は、同洗濯機の操作制御装置の側断面図であり、以下、その構成について説明する。
【０００４】
図４、図５において、洗濯機の操作表示面全体を構成する操作表示パネル２０は、プラスチック成形部材にて構成されている。操作表示パネル２０には、洗濯機本体（図示せず）に電源を投入する際および電源を遮断する際に操作する電源入り切りスイッチ２１、洗濯等の動作をスタートあるいは一時停止する際に操作するスタート・一時停止スイッチ２２と、透明シートと透明電極をあわせて構成されたタッチシート２９からなる操作部が設けられている。
【０００５】
タッチシート２９には、洗濯の時間を設定する際に操作する洗濯時間設定スイッチ２３ａ、すすぎの回数あるいはすすぎの時間を設定する際に操作するすすぎ設定スイッチ２３ｂ、脱水の時間を設定する際に操作する脱水時間設定スイッチ２３ｃ、脱水時の洗濯兼脱水槽（図示せず）の回転速度を設定する際に操作する脱水回転速度設定スイッチ２３ｄ、予約運転をする際に操作する予約運転設定スイッチ２３ｅ、洗濯およびすすぎ時の洗濯水およびすすぎ水の温度を設定する際に操作する水温設定スイッチ２４ａ、決められた複数の洗濯コースから１つの洗濯コースを選択する際に操作するコース設定スイッチ２４ｂ、洗濯およびすすぎ時の洗濯水およびすすぎ水の水位を設定する際に操作する水位設定スイッチ２４ｃ等が配置されている。
【０００６】
また、操作表示パネル２０には、操作部の操作にて設定される洗濯時間を表示する洗濯時間表示部２５ａ、すすぎの回数あるいはすすぎの時間を表示するすすぎ表示部２５ｂ、脱水の時間を表示する脱水時間表示部２５ｃ、脱水時の洗濯兼脱水槽の回転速度を表示する脱水回転速度表示部２５ｄ、洗濯の残時間あるいは予約運転の終了時間を表示する時間表示部２５ｅ等を表示する液晶ディスプレイ部２６や、ＬＥＤ（発光ダイオード）３０等にて構成され、水温設定スイッチ２４ａにて設定された洗濯水およびすすぎ水の温度を表示する水温設定表示部２７ａ、コース設定スイッチ２４ｂにて選択された洗濯コースを表示するコース設定表示部２７ｂ、水位設定スイッチ２４ｃにて設定された洗濯水およびすすぎ水の水位を表示する水位表示部２７ｃ、予約運転設定スイッチ２３ｅにて予約が設定されると予約の設定を表示する予約運転設定表示部２７ｄ等を有するＬＥＤ表示部２７とを配置している。
【０００７】
液晶ディスプレイ部２６や、ＬＥＤ３０で表示された水温設定表示部２７ａ、コース設定表示部２７ｂ、水位表示部２７ｃおよび予約運転設定表示部２７ｄ等の表示部分は、操作表示パネル２０の裏面内方に構成されており、操作表示パネル２０に一体形成された横長矩形形状の透明部である操作表示パネル透明部２８を介して透過視認する構成である。
【先行技術文献】
【特許文献】
【０００８】
【特許文献１】特開２０１４−５４４８８号公報
【発明の概要】
【発明が解決しようとする課題】
【０００９】
しかしながら、このような従来のタッチシート２９は、全面ほぼフラットに形成され、全面にわたり略一定の感度に設定され、どこに触れても反応するようになっていた。従って、どの部分に触れても反応するため、誤操作の発生や操作のやり直し等が生じる虞があるという課題があった。
【００１０】
本発明は、上記従来の課題を解決するもので、誤動作の発生を抑制しえる洗濯機を提供することを目的としている。
【課題を解決するための手段】
【００１１】
本発明は上記目的を達成するために、洗濯機の動作を制御する制御手段と、使用者が指で触れる操作表示パネルと、使用者が指で触れることで操作するタッチシートからなり前記制御手段へ入力情報を入力する操作手段と、前記制御手段が制御する内容を表示する表示手段とを備え、前記タッチシートは透明で前記表示手段の一部またはすべてを覆い、前記操作表示パネルの裏面に配置し、前記タッチシートの一部を曲げ前記操作表示パネルから十分離れるように構成し、前記タッチシートの一部の反応が抑制されるように配置した洗濯機である。
【００１２】
これにより、タッチシートの一部を曲げ、指の操作に対する操作表示パネルから十分距離を確保して、タッチシートの一部を反応しにくくでき、電極の配線パターンなど反応してはいけないエリアにおける誤動作を抑制できる。
【発明の効果】
【００１３】
本発明の洗濯機によれば、誤動作を抑制しえる洗濯機を実現することができる。
【図面の簡単な説明】
【００１４】
【図１】本発明の実施の形態１の洗濯機の側断面図
【図２】本発明の実施の形態１の洗濯機の操作制御装置の側断面図
【図３】本発明の実施の形態２の洗濯機の操作制御装置の側断面図
【図４】従来の洗濯機の操作表示パネルの正面図
【図５】従来の洗濯機の操作制御装置の側断面図
【発明を実施するための形態】
【００１５】
第１の発明は、洗濯機の動作を制御する制御手段と、使用者が指で触れる操作表示パネルと、使用者が指で触れることで操作するタッチシートからなり前記制御手段へ入力情報を入力する操作手段と、前記制御手段が制御する内容を表示する表示手段とを備え、前記タッチシートは透明で前記表示手段の一部またはすべてを覆い、前記操作表示パネルの裏面に配置し、前記タッチシートの一部を曲げ前記操作表示パネルから十分離れるように構成し、前記タッチシートの一部を反応しないように配置したことにより、タッチシートの一部を曲げ、指の操作に対して操作表示パネルから十分な距離を確保して、タッチシートの一部を反応しにくくでき、電極の配線パターンなど反応を抑制したいエリアにおける誤動作を抑制でき、使い勝手を向上することができる。
【００１６】
第２の発明は、上記第１の発明において、前記タッチシートの一部を曲げ、前記操作表示パネルから離れるように構成し、前記タッチシートの反応を鈍らせるように配置したことにより、前記タッチシートの反応を鈍らせるようにでき、水や液体洗剤の付着による誤動作を抑制でき、使い勝手を向上することができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の実施の形態１における洗濯機の側断面図である。図１において、本体３１内に、水槽３２が揺動自在に弾性支持され、水槽３２内に有底円筒形に形成された回転ドラム３３が配設されている。回転ドラム３３は、軸心方向を正面側から背面側に向けて下向きに傾斜させて回転自在に支持されている。水槽３２の正面側には、回転ドラム３３の開口端に通じる衣類出入口３４が形成されている。本体３１の前面側を構成する前部枠体３５の前面には、上向き傾斜面が形成され、上向き傾斜面に設けられた開口部３６を開閉する扉３９を設けている。扉３９を開くことにより、衣類出入口３４を通じて回転ドラム３３内に洗濯物を出し入れすることができる。
【００１９】
回転ドラム３３の周面には、水槽３２内に通じる多数の透孔４０が形成され、回転ドラム３３は、水槽３２の背面側に取り付けられたモータ４１によって、正転及び逆転方向に回転駆動される。また、水槽３２には、注水管路４２及び排水管路４３が配管接続され、給水弁４４および排水弁４５の制御によって水槽３２内への注水及び排水がなされる。
【００２０】
前部枠体３５の前面の上向き傾斜面の上部には、操作制御装置４６が配置されている。操作制御装置４６は、開口部３６および扉３９より上方に設けられている。そして、操作制御装置４６は、前記上面傾斜面とほぼ同じ傾斜角で配設されている。これらの配置および傾斜角により、開口部３６からの洗濯物の出し入れの容易性と操作制御装置４６の操作性および視認性を向上させるとともに、洗濯機の優れたデザインを実現している。
【００２１】
操作制御装置４６は、使用者が指で触れることによって運転コース等のモードや各種機能の選択を行う操作部（操作手段）と、操作部からの入力情報や運転時の制御情報を表示する表示部（表示手段）とを使用者が透過視認可能に備えている。操作制御装置４６については、図２を参照して後述する。
【００２２】
本体３１内には洗濯機の運転動作を制御する制御手段（図示せず）が備えられている。制御手段は、操作部から入力された運転コース等のモードや各種機能の入力情報を参照してモータ４１、給水弁４４、排水弁４５等を制御し洗濯の各行程を実行するとともに、操作部からの入力情報や運転時の制御内容を表示部に表示する。
【００２３】
衣類の洗濯を行なう場合は、まず扉３９を開いて回転ドラム３３内に洗濯物を投入して運転を開始させる。運転を開始すると、制御手段が動作し、選択された運転コースや各種機能に従って以下のように各行程を実行し、洗濯が行われる。給水弁４４が開き、洗剤投入ケース（図示せず）内に水が給水され、洗剤投入ケース内の洗剤を流しながら、注水管路４２を介して水槽３２内に所定量の注水がなされ、モータ４１により回転ドラム３３が回転駆動されて洗い行程が開始される。洗い行程の洗濯物は、回転ドラム３３の回転により回転方向に持ち上げられ落下する撹拌動作が繰り返され、洗濯がなされる。
【００２４】
そして、所要の洗い行程の後、排水弁４５が開き、汚れた洗濯液は排水管路４３から排出され、回転ドラム３３を高速回転させる脱水動作により、洗濯物に含まれた洗濯液を脱水する。その後、水槽３２内に注水管路４２から注水され、すすぎ行程が実施される。すすぎ行程においても、洗濯物には回転ドラム３３の回転により撹拌動作が繰り返される。すすぎ行程の後、脱水行程に移行する。
【００２５】
なお、操作制御装置４６の操作部、および表示部における各種スイッチ等の配置、動作は、図４を参照して説明した従来例と同様であるので、詳細な説明は省略する。
【００２６】
図２は、本発明の実施の形態１における洗濯機の操作制御装置の側断面図である。図２に示すように、操作制御装置４６は、洗濯機の前部枠体３５の表面に配され使用者が指で触れる操作表示パネル１と、この操作表示パネル１の裏面に配した操作手段であるタッチシート２と、液晶ディスプレイやＬＥＤ（発光ダイオード）４などで構成され、使用者による入力情報や運転コースや運転状況など制御する内容を表示する表示手段３とを備え、タッチシート２を操作表示パネル１と表示手段３とで挟むように配置している。
【００２７】
操作表示パネル１は、一体形成された透明部である操作表示パネル透明部５を介して操作部および表示部が透過視認可能に構成されている。タッチシート２は、操作手段を構成し、透明シートと透明電極を透明な接着剤（例えば、透明両面テープ）により接着して形成されている。さらに、タッチシート２は、反応を抑制したいエリアは、例えば、図２中の右側端部に示すように、一部を曲げて、構成した屈曲部２ａを形成して操作表示パネル１の裏面から奥方向に十分離れるように構成することにより、指の操作に対する反応を抑制している。
【００２８】
以上の構成について、各手段の動作について説明する。操作表示パネル１に使用者が直接触れて操作を行う。次に、タッチシート２は、透明シートと透明電極をあわせたものであり、透明電極を構成する送信側電極と受信側電極との間の静電容量の変化により使用者が触れたことを認識する。この際、反応を抑制したいエリアは、タッチシート２の一部（屈曲部２ａ、図２では右側端部）を曲げることにより、操作表示パネル１の裏面から奥方向（図２では下方向）に十分距離を確保してあるので、使用者が触れても透明電極の反応が抑制される。
【００２９】
本実施の形態においては、タッチシート２の屈曲部２ａを、操作表示パネル１の裏面から奥方向（図２では下方向）に十分距離を確保できるように曲げることにより、反応を抑制したいエリアは、使用者が触れても透明電極が反応しないように構成している。
【００３０】
これにより、例えば、タッチシート２の形状などの制限で電極の配線パターンなど反応を抑制したいエリアができる場合や、タッチシート２を他の製品で共用して使用するときなど反応を抑制したいエリアが生じる場合など、タッチシート２の一部を反応を抑制することができ、誤動作を抑制でき、使い勝手を向上させることが可能である。
【００３１】
（実施の形態２）
本発明の実施の形態２における洗濯機は、上記実施の形態１において、操作制御装置４６のタッチシート２と操作表示パネル１との距離を少し離し、反応を鈍らせるようにしている。
【００３２】
図３は、本発明の実施の形態２における洗濯機の操作制御装置の側断面図である。図３に示すように、操作制御装置４６は、洗濯機の前部枠体３５の表面に配され使用者が指で触れる操作表示パネル１と、操作表示パネル１の裏面に配した操作手段であるタッチシート２と、液晶ディスプレイやＬＥＤ（発光ダイオード）４などで構成され、使用者による入力情報や運転コースや運転状況など制御する内容を表示する表示手段３とを備え、タッチシート２を操作表示パネル１と表示手段３とで挟むように配置している。
【００３３】
操作表示パネル１は、一体形成された透明部である操作表示パネル透明部５を介して操作部および表示部が透過視認可能に構成されている。タッチシート２は、透明シートと透明電極を透明な接着剤（例えば透明両面テープ）で接着して形成され、さらに、タッチシ
ート２の一部を曲げ（タッチシート２の後方部に構成した傾斜部２ｂ）、傾斜部２ｂを曲げた状態を維持するため、操作表示パネル１の裏面後部に傾斜部１ａを突出させて設け、タッチシート２の傾斜部２ｂが操作表示パネル１の裏面から後方になるにしたがって少しずつ離れるように構成している。タッチシート２の傾斜部２ｂが操作表示パネル１から離れる距離は、使用者が触れた場合、実施の形態１のように透明電極が反応しない距離ではなく、反応するが反応がタッチシート２の他の部分より鈍くなるという距離である。
【００３４】
これにより、洗濯機において、水を使用するので水の飛び散りや使用者が濡れた手で触れたことで水が操作表示パネル１に付着することがあるが、水の付着による誤動作を起こさないようにでき、使い勝手を向上させることが可能である。
【００３５】
なお、タッチシート２の一部を曲げる部分は、水が操作表示パネル１に付着する可能性が高い衣類出入口３４や開口部３６に近い側に設けることが望ましい。本実施の形態のような操作制御装置４６が洗濯機の前面上部に設けられたドラム式洗濯機の場合は下側に、操作制御装置が洗濯機の前面に設けられた開閉自在な扉体の上面に設けられたドラム式洗濯機の場合は奥側に設けると、より大きな効果が得られる。また、衣類出入口や開口部が上面に設けられているタテ型洗濯機においては、タッチシートの一部を曲げる部分は、操作制御装置が衣類出入口や開口部の前側に配されている場合は、タッチシートの後部に、操作制御装置が衣類出入口や開口部の後側に配されている場合は、タッチシートの前部に設けると、より大きな効果が得られる。
【産業上の利用可能性】
【００３６】
以上のように、本発明の洗濯機によれば、操作制御装置のタッチシートの一部を反応しないようにでき、誤動作を起こさないようにでき、使い勝手のよい洗濯機を提供できるので、特に家庭用の洗濯機等として有用である。
【符号の説明】
【００３７】
１  操作表示パネル
２  タッチシート（操作手段）
３  表示手段
４  ＬＥＤ（発光ダイオード）
５  操作表示パネル透明部
４６  操作制御装置
【図１】
2017153837.tif 000003
【図２】
2017153837.tif 000004
【図３】
2017153837.tif 000005
【図４】
2017153837.tif 000006
【図５】
2017153837.tif 000007